(57)【要約】      （修正有）【課題】コンパクトな構成で、一般の刈払い機にその機種を問わず簡単に取り付けて使用することができ、草刈り作業に際して作業者の負担を大幅に軽減しつつ、回転刃を左右に旋回移動させつつ草刈り作業を行うという、刈払い機本来の動作を実現することができ、以て、効率よく草刈りを均一高さに綺麗に行うことを可能にするキャスター付き刈払い機支持装置を提供する。【解決手段】キャスター付き刈払い機支持装置は、キャスター２を備えたベースフレーム１と、ベースフレーム１上に設置される支持フレーム３とから成り、支持フレーム３は、その上面に、刈払い機の主軸１２を傾斜状態に固定する主軸固定手段を有する。支持フレーム３は、短尺の２本の縦フレーム５ａ及び長尺の２本の縦フレーム５ｂ、５ｃと、縦フレーム上に斜めに設置されて、主軸１２を傾斜状態に固定する受けフレーム６により構成され、主軸１２は、受けフレーム６において固定位置の変更が可能に固定される。【選択図】図２
0003230759.tif 000002
【実用新案登録請求の範囲】
【請求項１】
キャスターを備えたベースフレームと、前記ベースフレーム上に設置される支持フレームとから成り、前記支持フレームはその上面に、刈払い機の主軸を傾斜状態に固定する主軸固定手段を有することを特徴とするキャスター付き刈払い機支持装置。
【請求項２】
前記支持フレームは、短尺の２本の縦フレーム及び長尺の２本の縦フレームと、前記４本の縦フレーム上に斜めに設置されて、前記刈払い機の主軸を傾斜状態に固定する、前記主軸固定手段である受けフレームにより構成され、前記刈払い機の主軸は、前記受けフレームにおいて固定位置の変更が可能に固定される、請求項１に記載のキャスター付き刈払い機支持装置。
【請求項３】
前記受けフレームは、短尺の２本の縦フレーム及び長尺の２本の縦フレームと、前記４本の縦フレームの中間部間を連結する少なくとも３本の中間連結フレームと、前記短尺の縦フレーム間を連結する固定フレーム及び前記長尺の縦フレーム間を連結する、前記主軸固定手段である固定フレームとにより構成され、前記刈払い機の主軸は、前記一対の固定フレームにより傾斜状態に、且つ、固定位置の変更が可能に固定される、請求項１に記載のキャスター付き刈払い機支持装置。
【請求項４】
前記主軸固定手段はＵボルトを備える、請求項１乃至３のいずれかに記載のキャスター付き刈払い機支持装置。
【考案の詳細な説明】
【技術分野】
【０００１】
本考案は、キャスター付き刈払い機支持装置に関するものであり、より詳細には、刈払い機を固定支持することで、草刈り作業を楽に行うことができ、且つ、草刈りを均一高さに綺麗に行うことを可能にするキャスター付き刈払い機支持装置に関するものである。
【背景技術】
【０００２】
刈払い機は一般に、モーターから延びるハンドル付き主軸の先端に回転刃を備えたもので、作業者は、主軸に取り付けられたバンドを肩にかけ、あるいは、腰に回して刈払い機を支持し、ハンドル操作によって回転刃を、浮かせた状態にて左右にスウィングさせつつ草刈り作業を行う。そのため、草刈作業に際し、刈払い機の全重量が作業者にかかり、また、回転刃の高さ位置を一定に保つ必要があるため。特に広範囲の草刈りを行う場合、その作業は重労働となる。
【０００３】
上記のとおり、均一高さに綺麗に草刈りを行うためには、作業中回転刃の高さを一定に保持し続ける必要があるところ、作業中回転刃の高さを一定に保持することを可能にするための、草刈り刃の高さ維持装置の提案がある（実用新案登録第３１０３０１３号公報）。その装置は、回転刃の両側に大きな車輪を配する構成のものである。
【先行技術文献】
【特許文献】
【０００４】
【特許文献１】実用新案登録第３１０３０１３号公報
【考案の概要】
【考案が解決しようとする課題】
【０００５】
上述したように、一般の刈払い機を用いての草刈り作業は重労働となるので、その負担を軽減する機器の提案が求められており、それに応えるものとして、作業中回転刃の高さを一定に保持することを可能にするための、草刈り刃の高さ維持装置の提案があるが、その装置は、回転刃の両側に大きな車輪を配する構成であるため、前進のみ可能であって、回転刃を横振りしつつ草刈り作業を行うという、刈払い機本来の動作を実現することができないという問題がある。
【０００６】
本考案は、かかる問題を解決するためになされたもので、コンパクトな構成で、一般の刈払い機にその機種を問わず簡単に取り付けて使用することができ、草刈り作業に際して作業者の負担を大幅に軽減しつつ、回転刃を横振りしつつ草刈り作業を行うという、刈払い機本来の動作を実現することができ、以て、効率よく草刈りを均一高さに綺麗に行うことを可能にする刈払い機を提供することを課題とする。
【課題を解決するための手段】
【０００７】
上記課題を解決するための請求項１に記載の考案は、キャスターを備えたベースフレームと、前記ベースフレーム上に設置される支持フレームとから成り、前記支持フレームはその上面に、刈払い機の主軸を傾斜状態に固定する主軸固定手段を有することを特徴とするキャスター付き刈払い機支持装置である。
【０００８】
一実施形態においては、前記支持フレームは、短尺の２本の縦フレーム及び長尺の２本の縦フレームと、前記４本の縦フレーム上に斜めに設置されて、前記刈払い機の主軸を傾斜状態に固定する、前記主軸固定手段である受けフレームにより構成され、前記刈払い機の主軸は、前記受けフレームにおいて固定位置の変更が可能に固定される。
【０００９】
一実施形態においては、前記受けフレームは、短尺の２本の縦フレーム及び長尺の２本の縦フレームと、前記４本の縦フレームの中間部間を連結する少なくとも３本の中間連結フレームと、前記短尺の縦フレーム間を連結する固定フレーム及び前記長尺の縦フレーム間を連結する、前記主軸固定手段である固定フレームとにより構成され、前記刈払い機の主軸は、前記一対の固定フレームにより傾斜状態に、且つ、固定位置の変更が可能に固定される。
【００１０】
一実施形態においては、前記主軸固定手段はＵボルトを備える。
【考案の効果】
【００１１】
本考案に係る刈払い機支持装置は上記のとおりのものであって、コンパクトな構成で、一般の刈払い機にその機種を問わず簡単に取り付けて使用することができ、草刈り作業に際して作業者の負担を大幅に軽減しつつ、回転刃を左右にスウィングさせつつ草刈り作業を行うという、刈払い機本来の動作を実現することができ、以て、効率よく草刈りを均一高さに綺麗に行うことを可能にする効果がある。
【図面の簡単な説明】
【００１２】
【図１】本考案に係る刈払い機支持装置の使用状態を示す斜視図である。
【図２】本考案に係る刈払い機支持装置の使用状態を示す要部斜視図である。
【図３】本考案に係る刈払い機支持装置の使用状態を示す要部正面図である。
【図４】本考案に係る刈払い機支持装置の分解斜視図である。
【図５】本考案に係る刈払い機支持装置の他の構成例を示す斜視図である。
【図６】本考案に係る刈払い機支持装置の他の構成例の使用状態を示す側面図である。
【考案を実施するための形態】
【００１３】
本考案を実施するための形態について、添付図面を参照しつつ説明する。本考案に係るキャスター付き刈払い機支持装置は、一対のキャスター２を備えたベースフレーム１と、ベースフレーム１上に設置される支持フレーム３とから成り、支持フレーム３は、刈払い機１１の主軸１２を傾斜状態に固定する主軸固定手段を有することを特徴とする。通例、各部は、アルミニウム製アングル材で構成される。ベースフレーム１は、一対のアングル材１a，１aを対向させて成り、キャスター２の上面固定板上に固定される。
【００１４】
図１乃至図４に示す第１の実施形態における支持フレーム３は、４本の縦フレーム５，５a，５b，５
ｃと、四角形を呈していて４本の縦フレーム５上に斜めに設置される受けフレーム６により構成される。４本の縦フレーム５，５a，５b，５ｃのうち前面側の縦フレーム５，５aは、後面側の縦フレーム５b，５ｃよりも短尺である。
【００１５】
受けフレーム６は、前後左右の４辺６ａ〜６ｄから成っていて、刈払い機１１の主軸１２を傾斜状態に支持するためのもので、例えば、前側辺６ａと後側辺６ｂに、主軸１２を固定するためのＵボルト７を備える。主軸１２は、Ｕボルト７を緩めた状態でＵボルト７に対してスライド可能であり、主軸１２をスライドさせることにより、回転刃１３の刈込み高さ位置を調整することができる。主軸１２をスライドさせて回転刃１３の刈込み高さ位置を設定した後、Ｕボルト７を緊締して主軸１２を固定する。
【００１６】
図５、６に示す第２の実施形態は、上記第１の実施形態の装置をより軽量化したもので、第１の実施形態においてボルト締めされている部分が溶接による固定とされている。また、支持フレーム３の構成が、第１の実施形態の場合と異なっている。この第２の実施形態の場合の支持フレーム３は、同じく４本の縦フレーム５，５a，５b，５ｃと、４本の縦フレーム５の中間部間を連結する３本の中間連結フレーム８，８a，８bと、前面側の縦フレーム５，５a間を連結する固定フレーム９、及び、後面側の縦フレーム５b，５ｃ間を連結する固定フレーム９ａとにより構成される。
【００１７】
固定フレーム９，９ａは、刈払い機１１の主軸１２を傾斜状態に支持するためのもので、それぞれ傾けて縦フレーム５，５a間並びに縦フレーム５b，５ｃ間に固定される。また、固定フレーム９，９ａには、Ｕボルト７を差し込むための孔が形成される。Ｕボルト７による主軸１２の固定方法は、第１の実施形態の場合と同じである。
【００１８】
本考案に係る刈払い機支持装置は、刈払い機１１の使用に先立ち、その主軸１２を、上記のようにして、回転刃１３が所望の刈込み高さ位置となるようにずらし動かして受けフレーム６又は固定フレーム９，９ａに固定する。そして、主軸１２に固定されている支持バンドを所定の方法で身体に取り付けて、準備完了となる。
【００１９】
その状態でスイッチを入れて刈込み作業を開始するが、刈払い機１１の荷重の多くが刈払い機支持装置にかかって支持されるので、作業者は単にハンドル１４を握持してのハンドル操作をするだけで、刈込み作業を進めることができる。刈払い機１１の移動も、刈払い機支持装置の有するキャスター２の作用で、あらゆる方向に楽に行うことができる。また、回転刃１３による刈込み高さ位置が固定されるため、刈込み面の高さが均一となり、きれいな仕上がりとなる。
【００２０】
本考案に係る刈払い機支持装置は以上のとおりのものであり、その特徴をまとめると、以下のとおりとなる。
１）市販の各種刈払い機に、Ｕボルト７等の取付手段を介して簡単に脱着自在に後付けすることができる。
２）刈払い機１１の主軸１２の固定位置を変えることで、回転刃１３の刈込み高さ位置を自由に変更して設定することができる。
３）回転刃１３の刈込み高さ位置が固定されるため、刈込み面の高さが均一となって、きれいな仕上がりとなる。
４）刈払い機１１の重量がキャスター２に配分されるので、作業者の負担がかなり減り、また、移動もキャスター２を介して行われるため、移動操作は安定状態にて容易に行うことが可能となる。
【産業上の利用可能性】
【００２１】
本考案に係る刈払い機支持装置は上記効果を奏するものであるので、その産業上の利用可能性は大である。
【符号の説明】
【００２２】
１                        ベースフレーム
２                        キャスター
３                        支持フレーム
５，５ａ，５ｂ，５ｃ       縦フレーム
６                        受けフレーム
６ａ                      前側辺
６ｂ                      後側辺
６ｃ                      左側辺
６ｄ                      右側辺
７                        Ｕボルト
８，８ａ，８ｂ            中間連結フレーム    
９，９ａ                  固定フレーム
１１                      刈払い機
１２                      主軸
１３                      回転刃
１４                      ハンドル
【図１】
0003230759.tif 000003
【図２】
0003230759.tif 000004
【図３】
0003230759.tif 000005
【図４】
0003230759.tif 000006
【図５】
0003230759.tif 000007
【図６】
0003230759.tif 000008
【手続補正書】
【提出日】令和2年12月10日(2020.12.10)
【手続補正１】
【補正対象書類名】実用新案登録請求の範囲
【補正対象項目名】請求項３
【補正方法】変更
【補正の内容】
【請求項３】
前記受けフレームは、短尺の２本の縦フレーム及び長尺の２本の縦フレームと、前記４本の縦フレームの中間部間を連結する少なくとも３本の中間連結フレームと、前記短尺の縦フレーム間を連結する固定フレーム及び前記長尺の縦フレーム間を連結する、前記主軸固定手段である固定フレームとにより構成され、前記刈払い機の主軸は、前記一対の固定フレームにより傾斜状態に、且つ、固定位置の変更が可能に固定される、請求項２に記載のキャスター付き刈払い機支持装置。